(57)【要約】【課題】手差しトレイ上の記録紙を確実に記録紙搬送路に供給できる画像形成装置を提供する。【解決手段】手差しトレイ５０と、手差しトレイ５０上の記録紙を挟持して記録紙搬送路５６に供給するピックアップローラ５２及びパッド部材５４と、を有する画像形成装置１０であって、パッド部材５４には、パッド部材５４のピックアップローラ５２と対向する対向面５４Ｂから垂下する一端面５４Ａからピックアップローラ５２側に突出し、記録紙をピックアップローラ５２とパッド部材５４との圧接部に導くガイドフィルム４８が設けられている構成とした。【選択図】      図１
2006199455.tif 000002
【特許請求の範囲】
【請求項１】
手差しトレイと、前記手差しトレイ上の記録紙を挟持して記録紙搬送路に供給するピックアップローラ及びパッド部材と、を有する画像形成装置であって、
前記パッド部材には、前記パッド部材の前記ピックアップローラと対向する対向面から垂下する一端面から前記ピックアップローラ側に突出し、前記記録紙を前記ピックアップローラと前記パッド部材との圧接部に導くガイドフィルムが設けられていることを特徴とする画像形成装置。
【請求項２】
前記ガイドフィルムは、前記パッド部材の前記対向面から垂下する前記一端面から前記ピックアップローラ側に突出した前記ガイドフィルムの突出部が記録紙搬送路側に向かって湾曲するように前記ピックアップローラにより押圧されていることを特徴とする請求項１に記載の画像形成装置。
【請求項３】
前記ガイドフィルムは、前記パッド部材の手差しトレイ側に位置する前記一端面に貼り付けられていることを特徴とする請求項１又は２に記載の画像形成装置。
【請求項４】
前記ガイドフィルムと前記ピックアップローラとの接触部は、前記ピックアップローラと前記パッド部材との前記圧接部よりも上方に位置し、前記手差しトレイの下端部よりも下方に位置することを特徴とする請求項２又は３に記載の画像形成装置。
【発明の詳細な説明】
【技術分野】
【０００１】
本発明は、画像形成装置に係り、特に手差しトレイ上の記録紙を挟持し内部の記録機紙搬送路に供給するピックアップローラとパッド部材とを備えた画像形成装置に関する。
【背景技術】
【０００２】
従来のコピー機、ファクシミリ、プリンタなどの画像形成装置の中には、記録紙にトナー画像を転写させる感光体ドラムと、記録紙に感光体ドラムから転写されたトナー画像を定着させる定着ローラと、トナー画像が定着された記録紙を排紙トレイに排出する排紙ローラと、記録紙を搬送させるための記録紙搬送路と、手差しトレイと、手差しトレイ上の記録紙を挟持し記録紙搬送路に供給するためのピックアップローラ及びパッド部材と、を有するものがある。この画像形成装置によれば、手差しトレイ上の記録紙がピックアップローラ及びパッド部材により挟持されて内部の記録紙搬送路に供給される。そして、記録紙は、記録紙搬送路を搬送され、感光体ドラムによりトナー画像が転写される。トナー画像が転写された記録紙は、さらに記録紙搬送路を搬送され、記録紙に転写されたトナー画像が定着ローラにより定着される。トナー画像が定着された記録紙は、定着ローラの記録紙搬送方向下流側に配置された記録紙搬送路を搬送されて、排紙ローラにより排紙トレイに排出される。
【０００３】
ここで、従来の画像形成装置では、ピックアップローラにより複数枚の記録紙が同時に内部に供給されることを防止（ノーフィードの防止）するため、パッド部材のピックアップローラと対向する対向面の一部にフィルムが密着するように貼り付けられていた。
【特許文献１】特開２００１−２６１１７７号公報
【特許文献２】特開２００４−１３７０２１号公報
【発明の開示】
【発明が解決しようとする課題】
【０００４】
ところが、手差しトレイ上の記録紙はパッド部材のピックアップローラと対向する対向面に対して斜め上方から供給されるため、記録紙がパッド部材の前記対向面に突き当たり、記録紙のそれ以上の進行が阻止される。これにより、ピックアップローラとパッド部材との圧接部において、記録紙が両者により挟持されることがなく、内部の記録紙搬送路に供給されない問題があった（ノーフィードの発生）。
【０００５】
そこで、本発明は、上記事情を考慮し、手差しトレイ上の記録紙を確実に記録紙搬送路に供給できる画像形成装置を提供することを目的とする。
【課題を解決するための手段】
【０００６】
請求項１に記載の発明は、手差しトレイと、前記手差しトレイ上の記録紙を挟持して記録紙搬送路に供給するピックアップローラ及びパッド部材と、を有する画像形成装置であって、前記パッド部材には、前記パッド部材の前記ピックアップローラと対向する対向面から垂下する一端面から前記ピックアップローラ側に突出し、前記記録紙を前記ピックアップローラと前記パッド部材との圧接部に導くガイドフィルムが設けられていることを特徴とする。
【０００７】
請求項２に記載の発明は、請求項１に記載の画像形成装置において、前記ガイドフィルムは、前記パッド部材の前記対向面から垂下する前記一端面から前記ピックアップローラ側に突出した前記ガイドフィルムの突出部が記録紙搬送路側に向かって湾曲するように前記ピックアップローラにより押圧されていることを特徴とする。
【０００８】
請求項３に記載の発明は、請求項１又は２に記載の画像形成装置において、前記ガイドフィルムは、前記パッド部材の手差しトレイ側に位置する前記一端面に貼り付けられていることを特徴とする。
【０００９】
請求項４に記載の発明は、請求項２又は３のいずれか１項に記載の画像形成装置において、前記ガイドフィルムと前記ピックアップローラとの接触部は、前記ピックアップローラと前記パッド部材との前記圧接部よりも上方に位置し、前記手差しトレイの下端部よりも下方に位置することを特徴とする。
【発明の効果】
【００１０】
請求項１に記載の発明によれば、手差しトレイ上の記録紙は、ピックアップローラ及びパッド部材により挟持されて内部の記録紙搬送路に供給される。ここで、パッド部材には、パッド部材のピックアップローラと対向する対向面から垂下する一端面からピックアップローラ側に突出し記録紙をピックアップローラとパッド部材との圧接部に導くガイドフィルムが設けられているため、手差しトレイ上の記録紙は、ピックアップローラとパッド部材との圧接部に導かれる。この結果、記録紙は、ピックアップローラとパッド部材とにより挟持されて、記録紙搬送路に供給される。このように、本発明によれば、手差しトレイ上の記録紙を１枚ずつ確実に記録紙搬送路に供給することができる。
【００１１】
請求項２に記載の発明によれば、ガイドフィルムはパッド部材の対向面から垂下する一端面からピックアップローラ側に突出したガイドフィルムの突出部が記録紙搬送路側に向かって湾曲するようにピックアップローラにより押圧されているため、手差しトレイ上の記録紙がピックアップローラとガイドフィルムの突出部との押圧部からピックアップローラとパッド部材との圧接部に導かれる。これにより、手差しトレイ上の記録紙を１枚ずつ容易かつ確実にピックアップローラとパッド部材との圧接部に導くことができる。
【００１２】
請求項３に記載の発明によれば、ガイドフィルムがパッド部材の手差しトレイ側に位置する一端面に貼り付けられているため、手差しトレイ上の記録紙がパッド部材に接触する前にピックアップローラとパッド部材との圧接部に導くことができる。また、フィルムとパッド部材の一端面とは予めフィルムに塗布された粘着剤で接着されており、フィルムの破損もしくは劣化時には新しいフィルムに容易に取り換えることができる。
【００１３】
請求項４に記載の発明によれば、ガイドフィルムとピックアップローラとの接触部が、ピックアップローラとパッド部材との圧接部よりも上方に位置し、かつ手差しトレイの下端部よりも下方に位置しているため、手差しトレイ上の記録紙を手差しトレイの下端部からガイドフィルムとピックアップローラとの接触部を介してピックアップローラとパッド部材との圧接部に容易に導くことができる。
【発明を実施するための最良の形態】
【００１４】
次に、本発明の一実施形態に係る画像形成装置について、図面を参照して説明する。
【００１５】
図１に示すように、画像形成装置１０は、筐体となる画像形成装置本体１２を備えている。この画像形成装置本体１２の下部には、給紙カセット１４が配置されている。この給紙カセット１４の内部には、フラッパ１６が設けられている。このフラッパ１６の上部には、所定のサイズの記録紙が積層されている。また、給紙カセット１４の近傍には、ピックアップローラ１８が配置されている。また、フラッパ１６は、給紙カセット１４に積層された記録紙の最上面がピックアップローラ１８に接するようにバネ部材２０により上方に付勢されている。この状態で、ピックアップローラ１８が回転駆動すると、摩擦力により記録紙が１枚ずつ第１記録紙搬送路２２に給紙されるようになる。
【００１６】
また、ピックアップローラ１８の記録紙送方向下流側には、フィードローラ２４とプレスローラ２６とが配置されている。このフィードローラ２４とプレスローラ２６とにより記録紙が第１記録紙搬送路２２を記録紙搬送方向下流側に搬送される。また、フィードローラ２４及びプレスローラ２６の記録紙搬送方向下流側には、感光体ドラム２８と、転写ローラ３０と、が配置されている。また、感光体ドラム２８の周囲に沿って、紙粉除去ローラ３２と、コロナ帯電器３４と、がそれぞれ配置されている。また、感光体ドラム２８の近傍には、現像器３６が配置されている。さらに、現像器３６の近傍には、露光ヘッド３８が配置されている。
【００１７】
上記紙粉除去ローラ３２は、導電性のスポンジ等により構成され、転写後の感光体ドラム２８の表面に付着したトナーや紙粉を除去する。また、コロナ帯電器３４は、コロトロンからの放電により感光体ドラム２８の表面を一様に帯電する。紙粉除去ローラ３２及びコロナ帯電器３４により一様に帯電された感光体ドラム２８に、露光ヘッド３８により画像記録信号に応じて露光することで静電潜像が形成される。そして、現像器３６内のトナーを感光体ドラム２８に形成された静電潜像に転移させて、静電潜像を可視像化する。また、上述した転写ローラ３０は記録紙を挟んで感光体ドラム２８と対向する位置に配置されており、転写ローラ３０に所定の電圧が印加されると感光体ドラム２８の表面に形成されたトナー像が転写ローラ３０により記録紙に転写される。
【００１８】
また、感光体ドラム２８及び転写ローラ３０の記録紙搬送方向下流側には、定着ローラ４０と、プレスローラ４２と、が配置されている。記録紙に転写されたトナー像は、記録紙が定着ローラ４０及びプレスローラ４２により挟持されて加熱・プレスされることにより、定着される。
【００１９】
また、定着ローラ４０及びプレスローラ４２の記録紙搬送方向下流側には、排紙ローラ対５８が配置されている。また、画像形成装置本体１２には排紙トレイ４４が形成されており、第１記録紙搬送路２２を搬送されてきた記録紙が排紙ローラ対５８により排紙トレイ４４に排出される。
【００２０】
また、画像形成装置本体１２の側面には、手差しトレイ５０が取り付けられている。この手差しトレイ５０の下端部近傍には、手差しトレイ５０用のピックアップローラ５２が配置されている。また、このピックアップローラ５２と対向する位置には、パッド部材５４が配置されている。手差しトレイ５０上の記録紙は、ピックアップローラ５２とパッド部材５４との圧接部で両者により挟持されて、画像形成装置本体１２の内部に供給される。
【００２１】
ここで、図２に示すように、パッド部材５４の手差しトレイ５０側に位置する端面５４Ａには、フィルム（ガイドフィルム）４８が貼り付けられている。このフィルム４８は、厚さ０．１ｍｍのポリエチレンテレフタレート（ＰＥＴ：ＰＯＬＹＥＴＨＹＬＥＮＥ  ＴＥＲＥＰＨＴＨＡＬＡＴＥ）で構成されている。すなわち、フィルム４８の下方領域部４８Ａには複数の貫通孔（図示省略）が形成されており、この貫通孔にパッド部材５４の端面５４Ａの下側に形成された複数の突起部５４Ｃがそれぞれ挿通されることにより、フィルム４８がパッド部材５４に対して位置決めされている。また、フィルム４８の上方領域部（突出部）４８Ｂは、パッド部材５４のピックアップローラ５２と対向する対向面５４Ｂよりも上方側に突出している。このフィルム４８の上方領域部４８Ｂはピックアップローラ５２から押圧されており、フィルム４８の上方領域部４８Ｂが後述の第２記録紙搬送路５６側に向かって湾曲している。このように、ピックアップローラ５２とフィルム４８の上方領域部４８Ｂとは押圧部Ｐで接触している。
【００２２】
また、ピックアップローラ５２及びパッド部材５４の記録紙搬送方向下流側には、第２記録紙搬送路（記録紙搬送路）５６が設けられている。第２記録紙搬送路（記録紙搬送路）５６は、ピックアップローラ１８とフィードローラ２４及びプレスローラ２６との間に位置する第１記録紙搬送路２２に接続されている。
【００２３】
次に、本実施形態の画像形成装置１０の作用について説明する。
【００２４】
図１に示すように、傾斜した手差しトレイ５０上に載置された記録紙は、ピックアップローラ５２及びパッド部材５４により画像形成装置本体１２の内部に供給される。ここで、図２に示すように、パッド部材５４の端面５４Ａに貼り付けられたフィルム４８は、パッド部材５４の対向面５４Ｂから突出したフィルム４８の上方領域部４８Ｂが第２記録紙搬送路５６側に向かって湾曲するようにピックアップローラ５２により押圧されているため、押圧部Ｐがピックアップローラ５２とフィルム４８の上方領域部４８Ｂとで形成される。このため、手差しトレイ５０上の記録紙が押圧部Ｐに導かれるとともに、押圧部Ｐに導かれた記録紙は押圧部Ｐを経てピックアップローラ５２とパッド部材５４との圧接部に導かれる。この結果、手差しトレイ５０上の記録紙を１枚ずつ容易かつ確実に圧接部に導くことができ、ノーフィードを防止することができる。
【００２５】
特に、フィルム４８がパッド部材５４の手差しトレイ側に位置する端面５４Ａに貼り付けられているため、手差しトレイ５０上の記録紙がパッド部材５４の対向面５４Ｂに接触する前にピックアップローラ５２とフィルム４８の上方領域部４８Ｂとで形成される押圧部Ｐに導くことができる。また、フィルム４８とパッド部材５４の端面５４Ａとは予めフィルム４８に塗布された粘着剤で接着されており、フィルム４８の破損もしくは劣化時には新しいフィルムに容易に取り換えることができる。
【００２６】
なお、上記実施形態では、フィルム４８の上方領域部４８Ｂがピックアップローラ５２により押圧される構成を例にとり説明したが、かかる構成に限られるものではなく、例えば、フィルム４８をパッド部材５４の端面５４Ａに貼り付けると共に、フィルム４８の上方領域部４８Ｂを第２記録紙搬送路５６側に折り曲げてもよい。この構成では、フィルム４８の上方領域部４８Ｂをピックアップローラ５２に押圧させることなく、手差しトレイ５０上の記録紙をピックアップローラ５２とパッド部材５４の対向面５４Ｂとの圧接部に導くことができる。
【図面の簡単な説明】
【００２７】
【図１】本発明の一実施形態に係る画像形成装置の概略構成図である。
【図２】本発明の一実施形態に係る画像形成装置の要部を拡大した拡大図である。
【符号の説明】
【００２８】
１０        画像形成装置
４８        フィルム（ガイドフィルム）
４８Ｂ      上方領域部（突出部）
５２        ピックアップローラ
５４        パッド部材
５４Ａ      端面（一端面）
５６        第２記録紙搬送路（記録紙搬送路）
Ｐ          押圧部（接触部）
【図１】
2006199455.tif 000003
【図２】
2006199455.tif 000004